(57)【特許請求の範囲】
【請求項１】
フィルタエレメント（２０）であって、
前記フィルタエレメントの長手方向軸（Ｘ）に沿って延在する第１の一対の対向壁（５６）と、
前記長手方向軸に沿って延在する第２の一対の対向壁（５８）であって、前記第１の一対の対向壁を互いに連結するとともに、前記第１と第２の一対の対向壁は前記フィルタエレメントの入口端（６０）と前記フィルタエレメントの出口端（６２）との間に、前記長手方向軸に略一致する方向に流路を形成する第２の一対の対向壁（５８）と、
前記フィルタエレメントに設けられるとともに、前記流路を流れる空気から粒子を分離するように構成されたフィルタ媒体（６４）と、
前記第１の一対の対向壁のうち少なくとも一つの対向壁の外表面に設けられたくさび型エレメント（６６）であって、前記フィルタエレメントを受け入れるように構成されたフィルタハウジング（１８）の内表面（４６）と協働するように構成されたくさび型エレメント（６６）とを備え、
前記第１の一対の対向壁の各々の対向壁は、前記フィルタエレメントの前記出口端において、それぞれ出口縁部（６８）を有し、各出口縁部は前記長手方向軸に対して第１の斜角（α）をなすように延在し、
前記くさび型エレメントは前記長手方向軸に対して第２の角度（β）をなすように延在し、前記第１の斜角と前記第２の角度は互いに異なり、
前記フィルタエレメントの前記出口端に設けられたシール部材（７０）であって、前記フィルタエレメントと、前記フィルタエレメントを受け入れるように構成されたフィルタハウジングと、を少なくとも含むエアクリーナアセンブリのその他の構成部材と、前記フィルタエレメントの前記出口端との間を略気密にシールするように構成されるシール部材をさらに含む
ことを特徴とするフィルタエレメント。
【請求項２】
前記第１の斜角は前記長手方向軸に対して鋭角であり、前記第２の斜角は前記長手方向軸に対して鈍角である
ことを特徴とする請求項１に記載のフィルタエレメント。
【請求項３】
前記くさび型エレメントは、溝、稜線、肩部、一または複数の突起のうち、少なくとも一つを含む
ことを特徴とする請求項１に記載のフィルタエレメント。
【請求項４】
前記第１の一対の対向壁の各々の対向壁は、前記フィルタエレメントの前記入口端において、それぞれ入口縁部（７４）を有し、各入口縁部は前記長手方向軸に対して略垂直の角度（γ）をなすように延在する
ことを特徴とする請求項１に記載のフィルタエレメント。
【請求項５】
前記フィルタ媒体は前記フィルタエレメントの前記出口端に設けられる
ことを特徴とする請求項１に記載のフィルタエレメント。
【請求項６】
前記第２の一対の対向壁のうち一方の対向壁に設けられたグリップ（８０）をさらに含み、前記グリップは前記フィルタエレメントのフィルタハウジングからの着脱を容易にするように構成される
請求項１に記載のフィルタエレメント。
【請求項７】
エアクリーナアセンブリ（１４）であって、
フィルタエレメントが受け入れられるように構成されたフィルタハウジング（１８）を備え、
前記フィルタハウジングは、
ハウジング入口（３８）と、
吸気導管（１６）に連結されるように構成された出口開口（４２）を含むハウジング出口壁（４０）と、
前記ハウジング入口と前記ハウジング出口壁の間に延在する一対の対向ハウジング壁（４４）であって、前記一対の対向ハウジング壁のうち少なくとも一つの対向ハウジング壁がくさび型受け部（４８）を有する内表面（４６）を含み、前記一対の対向ハウジング壁のうち少なくとも一つの対向ハウジング壁が出口肩部（５０）を含む一対の対向ハウジング壁と、
前記フィルタハウジングに受け入れられる請求項１乃至６の何れか一項に記載のフィルタエレメントと、を含む
ことを特徴とするエアクリーナアセンブリ。
【請求項８】
前記フィルタハウジングは、前記一対の対向ハウジング壁の間に、前記フィルタハウジングからの前記フィルタエレメントの着脱を容易にするように構成された開口（８２）を含み、前記エアクリーナアセンブリは前記開口を閉じるように構成されたカバー（２６）をさらに含む
ことを特徴とする請求項７に記載のエアクリーナアセンブリ。
【請求項９】
前記カバーは、前記フィルタエレメントが前記フィルタハウジングに受け入れられているときに前記フィルタエレメントに隣接するように構成された内側側面（８４）を含み、前記カバーは、前記フィルタエレメントの前記くさび型エレメントが前記フィルタハウジングの前記くさび型受け部と協働して前記フィルタエレメントの前記出口縁部を前記フィルタハウジングの前記ハウジング出口壁（４０）に向けて付勢するように、前記開口を閉じるように前記フィルタハウジングに連結されている
ことを特徴とする請求項８に記載のエアクリーナアセンブリ。
【発明の詳細な説明】
【技術分野】
【０００１】
本開示は、フィルタエレメント及びエアクリーナアセンブリに関し、特に、フィルタエレメント及び該フィルタエレメントを含むエアクリーナアセンブリに関する。
【背景技術】
【０００２】
多くの機械が、周囲から空気を取り込み、その空気に頼って運転している。例えば、多くの内燃機関では、空気によって燃料の燃焼を補助し、車両の推進及び／または車両と関連するその他の機器の動作などに係る仕事に用いることができる動力を発生させている。粉塵などの粒子が吸気システムを通して内燃機関に侵入すると、オイルや、エンジンのその他の部分を汚染し、内燃機関の部品に早期の摩耗や損傷が生じる場合がある。この早期の摩耗や損傷のリスク防止を目的として、内燃機関への粒子の侵入を阻止するために空気ろ過装置が設けられる場合がある。
【０００３】
空気ろ過装置は、空気が空気ろ過装置を通過する際に、粒子を補足するフィルタ媒体を備えていてもよい。使用とともに、このフィルタ媒体には粒子が蓄積し、空気ろ過装置内における圧力差損の増加及び／またはエンジン効率の低下をもたらす。その結果、フィルタ媒体の洗浄または交換が必要となる。ここで、フィルタ媒体はフィルタエレメントの一部であることが多い。
【０００４】
フィルタエレメントのフィルタ媒体を洗浄または交換する必要から、フィルタエレメントは、とくに使用場所において、相対的に取り外しやすく構成されることが望ましい。したがって、空気ろ過装置には、空気ろ過アセンブリの部品に損傷を与えることなく、空気ろ過アセンブリからフィルタエレメントを容易に取り外すことを可能にするアセンブリとフィルタエレメントを設けることが望ましい。
【０００５】
従来のエアクリーナアセンブリは、フィルタハウジングと、該フィルタハウジングに受け入れられるフィルタエレメントを備えるとともに、フィルタハウジングの開口部を開閉するカバーが設けられて、この開口部を介してフィルタエレメントが着脱される。しかし、このようなアセンブリにおいて、フィルタハウジング、フィルタエレメント、及び／またはカバーは、フィルタエレメントの交換やメンテナンスを阻害する付属品、または損傷を受けやすい付属品を含む場合がある。本開示のフィルタエレメント及びエアクリーナアセンブリは、このように発生し得る問題点を緩和あるいは克服することを目的としてもよい。
【発明の概要】
【０００６】
第一態様によれば、本開示のフィルタエレメントは、該フィルタエレメントの長手方向軸に沿って延在する第１対の対向壁を含む。前記フィルタエレメントは、前記長手方向軸に沿って延在する第２の一対の対向壁を備え、前記第２の一対の対向壁は前記第１の一対の対向壁を互いに接続していてもよい。前記第１と第２の一対の対向壁は、前記フィルタエレメントの入口端と前記フィルタエレメントの出口端との間に、長手方向軸に実質的に沿った方向に流路を形成していてもよい。前記フィルタエレメントは、前記フィルタエレメントに設けられ、前記流路を流れる空気から粒子を分離するように構成されたフィルタ媒体をさらに含んでいてもよい。また、前記フィルタエレメントは、前記第１の一対の対向壁の少なくとも一つの対向壁の外表面に設けられたくさび型エレメントを含んでいてもよい。前記くさび型エレメントは、前記フィルタエレメントを受け入れるように構成されたフィルタハウジングの内表面と協働するように構成されていてもよい。前記第１の一対の対向壁の各々の対向壁は、前記フィルタエレメントの前記出口端において、それぞれ出口縁部を有し、各出口縁部は前記長手方向軸に対して第１の斜角をなすように延在していてもよい。前記くさび型エレメントは前記長手方向軸に対して第２の斜角をなすように延在し、前記第１の斜角と前記第２の斜角は互いに異なっていてもよい。
【０００７】
さらなる態様によれば、本開示はフィルタエレメントを受け入れるように構成されたフィルタハウジングを含むエアクリーナアセンブリに関する。前記フィルタハウジングは、ハウジング入口と、吸気導管に連結されるように構成された出口開口を含むハウジング出口壁と、前記ハウジング入口と前記ハウジング出口壁の間に延在する一対の対向壁とを含んでいてもよい。前記一対の対向壁のうち少なくとも一つの対向壁がくさび型受け部を有する内表面を含み、前記一対の対向壁のうち少なくとも一つの対向壁が出口肩部を含んでいてもよい。また、前記エアクリーナアセンブリは、前記フィルタハウジングに受けられたフィルタエレメントを含んでいてもよい。前記フィルタエレメントは、前記フィルタエレメントの長手方向軸に沿って延在する第１の一対の対向壁と、前記長手方向軸に沿って延在する第２の一対の対向壁とを含んでいてもよい。前記第２の一対の対向壁は前記第１の一対の対向壁を互いに連結していてもよく、前記第１と第２の一対の対向壁は、前記フィルタエレメントの入口端と前記フィルタエレメントの出口端との間に、長手方向軸に実質的に沿った方向に流路を形成していてもよい。また、前記フィルタエレメントは前記フィルタエレメントに設けられて前記流路を流れる空気から粒子を分離するように構成されたフィルタ媒体と、前記第１の一対の対向壁のうち少なくとも一つの対向壁の外表面に設けられたくさび型エレメントと、を含んでいてもよい。前記くさび型エレメントは、前記フィルタハウジングの前記くさび型受け部と協働するように構成されていてもよい。前記第１の一対の対向壁の各々の対向壁は、前記フィルタエレメントの前記出口端において、それぞれ出口縁部を有し、各出口縁部は前記長手方向軸に対して第１の斜角をなすように延在していてもよい。前記くさび型エレメントは前記長手方向軸に対して第２の斜角をなすように延在し、前記第１の斜角と前記第２の斜角は互いに異なっていてもよい。
【図面の簡単な説明】
【０００８】
【図１】エアクリーナアセンブリの例示的な一実施形態の斜視図である。
【図２】図１に例示したエアクリーナアセンブリの展開斜視図である。
【図３】フィルタエレメントの例示的な一実施形態の斜視図である。
【図４】図３に例示したフィルタエレメントの側面図である。
【図５】フィルタハウジングの例示的な一実施形態の斜視図である。
【図６】エアクリーナアセンブリの例示的な一実施形態の一部を断面で示した側面図である。
【発明を実施するための形態】
【０００９】
エアクリーナアセンブリは、例えば吸気システムを介して内燃機関に導入される空気から、粉塵などのデブリを除去するために用いられてもよい。エンジンは機械に動力を供給するために用いられてもよく、この機械は、例えば、自動車、トラック、農業車両、及び／または建設車両など任意のタイプの陸上車両であってもよく、これら陸上車両には、例えば、ホイールローダー、ブルドーザー、トラック型トラクター、掘削機、地ならし機、オンハイウェイ・トラック、オフハイウェイ・トラック、及び／または当業者に周知のあらゆるタイプの車両が含まれる。さらに、エンジンは任意の固定式機械に動力を供給するものであってもよく、この固定式機械は、例えば、発電用発電装置、または、水、天然ガス、または石油などの流体をくみ上げるためのポンプであってもよい。エンジンの形態は、例えば、火花点火エンジンや圧縮点火エンジンなどの往復ピストン型内燃機関（エンジン）、回転エンジン、ガスタービンエンジン、及び／またはガソリン、ディーゼル燃料、バイオディーゼル、エタノール、メタノール、及びこれらの組み合わせを動力とするエンジンであってもよい。
【００１０】
図１に示すように、内燃機関（エンジン）の例示的な吸気システム１０は、該エンジンに空気を供給するための吸気路１２を含んでいてもよい。吸気は吸気路１２を通ってエンジンに導入され、燃料と混合して燃焼室内での燃焼を補助する。燃焼室に導入される前の空気を洗浄するため、例示的な吸気システム１０は、エアクリーナアセンブリ１４と、吸気路１２を形成する吸気導管１６を含む。動作中にエンジンが運転されると、エアクリーナアセンブリ１４と連通する吸気導管１６に空気が導入される。そこで吸気導管１６及びエンジンの燃焼室に導入される前の吸気から、粒子が除去される。例えば、とくにエンジンが建設現場や採掘場などほこりの多い環境で使用されている場合、周囲から吸引された空気は、粉塵などの粒子を含んでいる場合がある。そこで、エンジンの早期の摩耗や損傷を防止するため、エアクリーナアセンブリ１４を用いて粒子状物質の少なくとも一部を除去することが考えられる。
【００１１】
図１及び２に示すように、例示的なエアクリーナアセンブリ１４は、フィルタエレメント２０を受け入れるように構成されたフィルタハウジング１８を含む（図２）。さらに、エアクリーナアセンブリ１４は、フィルタハウジング１８の入口端２４に設けられる（連結される）プリクリーナ２２と、フィルタハウジング１８に対するフィルタエレメント２０の着脱を選択的に容易にするように構成されたカバー２６とを含む。図１及び２に示すように、フィルタハウジング１８及び／またはカバー２６は、カバー２６をフィルタハウジング１８に固定するように構成された、選択的に解除可能な複数の締結部材２８を含んでいてもよい。例えば、複数の締結部材２８は、フィルタハウジング１８の係合面に対してカバー２６を堅固に保持するトグル式ラッチを含んでいてもよい。その他の種類の締結部材を採用することも考えられる。
【００１２】
例示的なプリクリーナ２２は、プリクリーナ入口ハウジング３０と、複数の吸気ポート３２とを含む（図５参照）。幾つかの実施形態によれば、吸気ポート３２はサイクロンチューブを含み、プリクリーナは吸気ポート３２に流入する空気を回転させるように構成され、これにより、吸気ポート３２に流入する空気から比較的大きい粒子を取り出す。例えば、一または複数の空気配向フィン（例えば、複数の静翼（不図示））によって空気を回転させ、空気がプリクリーナ入口ハウジング３０に流入する際に該空気から比較的大きな粒子を取り出してもよい。図示した例示的な実施形態では、プリクリーナ入口ハウジング３０は、プリクリーナ２２に設けられプリクリーナ入口ハウジング３０から比較的大きな粒子を除去可能に構成された掃気ポート３４を含む。幾つかの実施形態によれば、集められた粒子をプリクリーナ入口ハウジング３０から掃気ポート３４を介して除去するために、バルブ３６（例えば、ラバーバルブ）を掃気ポート３４に設けてもよい。空気は吸気ポート３２を通過すると、フィルタハウジング１８に流入する。
【００１３】
図１、２、５、及び６に示すように、例示的なフィルタハウジング１８は、プリクリーナ２２の近傍において、プリクリーナ２２下流の空気を受け入れるためのハウジング入口３８を含む。また、例示的なフィルタハウジング１８は、出口開口４２を含み吸気導管１６に連結するように構成されたハウジング出口壁４０を含む。また、フィルタハウジングは、ハウジング入口３８とハウジング出口壁４０の間に延在する一対の対向するハウジング壁４４を含む。より具体的には、例示的なハウジング壁４４は、フィルタハウジング１８に対して長手方向Ｄに延在している。例示した実施形態において、ハウジング壁４４は略平面であり、互いに略平行である。幾つかの実施形態によれば、ハウジング壁４４は互いの鏡像として構成される。
【００１４】
図５及び６に示すように、少なくとも一つのハウジング壁４４は、ハウジング入口３８とハウジング出口壁４０との間に介在するくさび型受け部４８が設けられた内表面４６を含む。詳細は後述するが、くさび型受け部４８は、フィルタエレメント２０上の対応する構造と協働するように構成される。くさび型受け部４８は、例えば、溝、稜線、肩部、及び／または一または複数の突起として形成されてもよい。図示した例示的な実施形態において、くさび型受け部４８は肩部として形成されている。幾つかの実施形態によれば、対向するハウジング壁４４は、二つともくさび型受け部４８を含んでいてもよい。
【００１５】
図６に示すように、一または複数のハウジング壁４４は、フィルタエレメント２０の一部と隣接するシール面を形成するように構成される出口肩部５０を含んでいてもよい。例えば、図６に示すように、出口肩部５０はハウジング出口壁４０の上端５２から、対向するハウジング壁４４を互いに連結する連結壁５４（底壁）に向けて、例えばハウジング壁４４の各下端に沿って、長手方向Ｄに対して斜めに延在している。図示した例示的な実施形態では、出口肩部５０は、ハウジング出口壁４０とくさび型受け部４８の間に介在する連結壁５４が設けられる位置に向かって延在している。図示した例示的な実施形態によれば、連結壁５４は略平面であって、長手方向Ｄに対して略平行となる方向に延在している。
【００１６】
図２乃至４に示すように、例示的なエアクリーナアセンブリ１４はフィルタエレメント２０を含み、フィルタエレメント２０はプリクリーナ２２を通過した後の空気から粒子状物質を除去するように構成される。図示した例示的な実施形態において、例示的なフィルタエレメント２０は、フィルタエレメント２０の長手方向軸Ｘに沿って（離間してかつ平行な方向に）延在する第１の一対の対向壁５６を含む。例示した実施形態において、第１の一対の対向壁５６はそれぞれ略平面であり、互いに略平行である。また、例示的なフィルタエレメント２０は、長手方向軸Ｘに沿って（離間してかつ平行な方向に）延在する第２の一対の対向壁５８を含む。第２の一対の対向壁５８（上側壁及び下側壁）は、第１の一対の対向壁５６同士を互いに連結する。第１と第２の一対の対向壁５６、５８は、フィルタエレメント２０の入口端６０とフィルタエレメント２０の出口端６２との間に、長手方向軸Ｘに実質的に沿った方向に流路を形成する。
【００１７】
例示的なフィルタエレメント２０は、フィルタエレメント２０に設けられ、流路を流れる空気から粒子を分離するように構成されたフィルタ媒体６４をさらに含む。例えば、フィルタ媒体６４は、プリーツ状のフィルタ紙及び／または発泡体、及び／または当業者に周知であるその他の任意のフィルタ媒体材料／タイプや構成を含んでいてもよい。図示した例示的な実施形態において、フィルタ媒体６４はフィルタエレメント２０の出口端６２に設けられている。
【００１８】
図３及び４に示すように、例示的なフィルタエレメント２０は、第１の一対の対向壁５６の少なくとも一つの対向壁の外表面に設けられたくさび型エレメント６６をさらに含む。くさび型エレメント６６は、フィルタハウジング１８の内表面と協働するように構成されている。例えば、くさび型エレメント６６は、ハウジング壁４４のうち少なくとも一つのハウジング壁４４の内表面４６に設けられたくさび型受け部４８と隣接するように構成される。幾つかの実施形態によれば、第１の一対の対向壁５６の両方の対向壁は、互いの鏡像である対向するくさび型エレメント６６を含み、両方のハウジング４４は対応するくさび型受け部４８を含む。一または複数のくさび型エレメント６６は、例えば、一または複数のくさび型受け部４８と協働するように構成された溝、稜線、肩部、及び／または一または複数の突起として形成されてもよい。
【００１９】
図３及び４に示すように、例示的なフィルタエレメント２０の第１の一対の対向壁５６の壁は、フィルタエレメント２０の出口端６２において、それぞれ出口縁部６８を有する。図示した例示的な実施形態において、それぞれの出口縁部６８は、長手方向軸Ｘに対して第１の斜角αで延在する。例えば、第１の角度αは約３０度から約８０度であってもよく、例えば、約４５度から約７０度であってもよい。図６に示すように、第１の角度αは、長手方向Ｄ及び長手方向軸Ｘに対してフィルタハウジング１８の出口肩部５０がなす角度に対応している。
【００２０】
図３、４、及び６に示すように、くさび型エレメント６６は、長手方向軸Ｘに対して第２の斜角βで延在する。例えば、第２の角度βの範囲は、約１００度から約１５０度であってもよく、約１１０度から約１３５度であってもよい。図６に示すように、第２の角度βは、長手方向Ｄ及び長手方向軸Ｘに対してフィルタハウジング１８のくさび型受け部４８がなす角度に対応している。
【００２１】
図示された例示的な実施形態によれば、第１の角度α及び第２の角度βは、長手方向軸Ｘに対する斜角であり、第１の角度αと第２の角度βは互いに異なる角度である。例えば、図示したように、第１の角度αは長手方向軸Ｘに対して鋭角であり、第２の角度βは長手方向軸Ｘに対して鈍角である。
【００２２】
例示的なフィルタエレメント２０は、フィルタエレメント２０の出口端６２に設けられたシール部材７０を含む。図示したように、例示的なシール部材７０は、フィルタエレメント２０とフィルタエレメント２０を受け入れるように構成されたフィルタハウジング１８とを少なくとも含むエアクリーナアセンブリ１４のその他の構成部材と、フィルタエレメント２０の出口端６２との間を、略気密にシールするように構成される。例えば、シール部材７０は、フィルタハウジング１８の出口肩部５０とフィルタエレメント２０の出口端６２との間を気密にシールするように構成されていてもよい。シール部材７０は、このようなシールを可能にする任意のタイプの材料からなるものであってもよく、例えば、ガスケット材料、粒状のシリコーンまたはポリマー、またはその他の類似の材料からなるものであってもよい。
【００２３】
図２及び３に示すように、フィルタエレメント２０の第１の一対の対向壁５６の対向壁は、フィルタエレメント２０の入口端６０において、それぞれ入口縁部７４を含む。例えば、図示したように、それぞれの入口縁部７４は、長手方向軸Ｘに対して略垂直の角度γ（図４）をなすように延在する。図示した例示的な実施形態によれば、フィルタエレメント２０は、フィルタエレメント２０の入口端６０に設けられ、入口縁部７４を保護するように構成された縁部保護材７６を含む。幾つかの実施形態によれば、縁部保護材７６は、プリクリーナ入口ハウジング３２のプリクリーナ壁７８に隣接するように構成されていてもよい。幾つかの実施形態によれば、縁部保護材７６はプリクリーナ壁７８から離間するように構成されていてもよい。縁部保護材７６は、例えば、プラスチックやその他の類似の材料などの材料から形成されていてもよい。
【００２４】
幾つかの実施形態によれば、フィルタエレメント２０はフィルタハウジング１８からのフィルタエレメント２０の着脱を容易にするように構成された構造を含んでいてもよい。例えば、図３及び４に示す例示的な実施形態において、第２の一対の対向壁５８の対向壁の一つ（例えば、上側壁）に設けられたグリップ８０を含んでいてもよい。例示的なグリップ８０は、フィルタハウジング１８からのフィルタエレメント２０の着脱を容易にするように構成されている。
【００２５】
図６に示すように、フィルタエレメント２０のくさび型エレメント６６（見やすいよう破線で示す）及びフィルタハウジング１８のくさび型受け部４８は、互いに協働してフィルタエレメント２０の出口縁部６８をハウジング出口壁４０に対して付勢するように構成されている。例えば、第２の一対の対向壁５８の下側壁がフィルタハウジング１８の連結壁５６に接近または到達するように、フィルタエレメント２０がフィルタハウジング１８に受容または設置されるとき、くさび型エレメント６６はくさび型エレメント４８と摺接または隣接することにより、くさび型受け部４８と係合し、これに伴って、フィルタエレメント１８をフィルタハウジング１８のハウジング４０に向かって付勢する。その結果、フィルタエレメント１８の出口縁部６８はフィルタハウジング２０の出口肩部５０に押し付けられ、これによりフィルタエレメント２０とフィルタハウジング１８との間にシール面が形成される。フィルタエレメント１８の出口端６２にシール部材７０が設けられた実施形態においては、フィルタエレメント２０とフィルタハウジング１８との間が略気密にシールされてもよい。幾つかの実施形態において、フィルタエレメント１８に対向する出口肩部５０の表面にシール部材が設けられていてもよい。くさび型エレメント６６とくさび型受け部４８との協働により、シール部材７０が出口肩部５０に押し付けられる傾向とすることができ、これによりフィルタエレメント２０とフィルタハウジング１８との間のシール性が向上する。
【００２６】
図示した例示的な実施形態において、フィルタハウジング２０は、対向するハウジング壁４４の間に設けられ、フィルタハウジング１８からのフィルタエレメント２０の着脱を容易にするように構成された開口８２を含み、エアクリーナアセンブリ１４は開口８２を閉じるように構成されたカバー２６を含む。例えば、カバー２６は、フィルタエレメント２０がフィルタハウジング２０に受け入れられた状態でフィルタエレメント２０（フィルタエレメント２０の上面）と隣接するように構成された内側側面８４を含み、カバー２６は、フィルタエレメント２０のくさび型エレメント６６がフィルタハウジング１８のくさび型受け部４８と協働してフィルタエレメント１８の出口縁部６８をフィルタハウジング１８のハウジング出口壁４０に付勢するように、開口８２を閉じるようにフィルタハウジング１８と連結されている。例えば、カバー２６の内側側面８４は、カバー２６がフィルタハウジング１８に対して例えば締結部材２８によって固定されたとき、フィルタエレメント１８に押し付けられる突起または類似の構造を含んでいてもよい。
【００２７】
幾つかの実施形態では、例えば、図６に示すように、エアクリーナアセンブリ１４は、エアクリーナアセンブリ１４に追加のろ過能力を与えるように構成された第２のエレメント７２（安全エレメント）を含んでいてもよい。例えば、第２のエレメント７２は、図示されるように略平面であって、例えば、フィルタエレメント２０が損傷を受けた場合（フィルタ媒体６４の一部が劣化または欠落した場合）、またはフィルタエレメント２０がフィルタハウジング１８内に存在しない場合に、デブリが出口開口４２や吸気導管１６に流入することを防止するように構成されたフィルタ媒体及び／またはウェビングを含んでいてもよい。このような状況下で、第２のエレメント７２はエンジンの損傷を防ぐのに十分なろ過を一時的に行ってもよい。幾つかの実施形態によれば、第２のエレメント７２はその周囲に延在するシール部材を含んでいてもよい。
【００２８】
図６に示す例示的な実施形態では、出口肩部５０の内周の内側において、例示的な第２のエレメント７２が凹部７３（見やすいよう破線で表示）に受け入れられている。上述したように、フィルタエレメント２０のくさび型エレメント６６及びフィルタハウジング１８のくさび型受け部４８は、互いに協働してフィルタエレメント２０の出口縁部６８を出口肩部５０に対して付勢するように構成されている。フィルタエレメント２０は実質的に第２のエレメント７２を覆っているものの、凹部７３内の第２のエレメントに接触または押し付けられていなくともよい。例えば、幾つかの実施形態によれば、第２のエレメント７２はフィルタエレメント２０から何ら補助を受けることなく、フィルタハウジング１８の凹部７３に保持されている。
【産業上の利用可能性】
【００２９】
本明細書で開示したフィルタエレメント及びエアクリーナアセンブリは、運転に気流を利用する機械に流入する空気から粒子を除去するために用いることができる。例えば、内燃機関は、空気と燃料の混合燃焼により、車両の推進及び／または車両と関連するその他の機器の動作などの仕事に用いられ得る動力を発生させている。エアフィルタ及びエアクリーナアセンブリは、粒子の内燃機関への侵入を防止し、内燃機関の部品の早期の摩耗や損傷を引き起こす、オイルやエンジンのその他の部品の汚染を抑制または防止するために用いることができる。
【００３０】
幾つかの実施形態によれば、フィルタハウジング１８、フィルタエレメント２０、及び／またはカバー２６は、効率的なエアクリーナアセンブリを提供しつつ、フィルタエレメント２０のメンテナンスを容易にするエアクリーナアセンブリ１４を提供できる。例えば、フィルタハウジング１８、フィルタエレメント２０、及び／またはカバー２６には、エアクリーナアセンブリ１４内におけるフィルタエレメント２０の取り外しや交換を妨げる付属品、または損傷を受けやすい付属品が設けられていない。さらに、くさび型エレメント６６及びくさび型受け部４８の幾つかの実施形態では、フィルタエレメント２０がフィルタハウジング１８のハウジング出口壁４０にほぼ確実に押し付けられ、これによりフィルタハウジング１８とフィルタエレメント２０間が略気密にシールされる。
【００３１】
当業者にとって自明であるように、例示的に開示したフィルタエレメント及びエアクリーナアセンブリには種々の改良や変形を行うことができる。本明細書を考慮し例示的に開示された実施形態を実行することによって、当業者には他の実施形態も自明となるであろう。明細書と実施形態は例示的なものにすぎず、実際の範囲は後述の請求項及びそれに相応するものによって示される。
【図１】
0006663447.tif 000002
【図２】
0006663447.tif 000003
【図３】
0006663447.tif 000004
【図４】
0006663447.tif 000005
【図５】
0006663447.tif 000006
【図６】
0006663447.tif 000007